(57)【要約】【課題】多数枚のディスクの内容を大容量メモリに記憶した場合に生じ得る、同じ内容のオーディオデータの重複記憶をなくすようにする。【解決手段】ディスクチェンジャー２６を設けることとし、ディスクチェンジャー２６内の各ディスク２８についてディスク単位で或いはオーディオデータ単位で大容量メモリ、例えばＨＤＤ３４内のＨＤ３６へのコピーが指示されたときには、コピーを指示されたオーディオデータ（曲）毎に、その拡張情報と、大容量メモリ３４、３６に記憶済みの各オーディオデータの拡張情報とを照合して、同一性の有無を判定し、その判定結果が同一性有りというものであれば、そのオーディオデータについて、大容量メモリ３４、３６へのコピーを中止するか、或いは同一性有る旨の表示をしてコピーをするか否かの指示を求めるようにしてなる。【選択図】　　　　図３
2004070998.tif 000002
【特許請求の範囲】
【請求項１】
オーディオデータをディジタルの形態でそのオーディオデータについての拡張情報と共に記憶する大容量メモリを内蔵し、複数枚のディスクを交換可能に収納することができ、そのうちの任意のディスクに記憶されたオーディオデータを読み出すことができるディスクチェンジャーを備えたカーオーディオ装置であって、
上記ディスクチェンジャー内に挿入された一乃至複数のディスクについてディスク単位で或いはオーディオデータ単位で上記大容量メモリへのコピーが指示されたときには、コピーを指示された各オーディオデータ毎に、その拡張情報と、上記大容量メモリに記憶済みの各オーディオデータの拡張情報とを照合して、同一性の有無を判定し、
その判定結果が同一性無しというものであれば、そのオーディオデータについて大容量メモリへのコピーをし、
その判定結果が同一性有りというものであれば、そのオーディオデータについて、大容量メモリへのコピーを中止するか、或いは同一性有る旨の表示をしてコピーをするか否かの指示を求めるようにしてなる
ことを特徴とするカーオーディオ装置。
【請求項２】
オーディオデータをディジタルの形態で記憶する大容量メモリを内蔵し、複数枚の読み出し書き込み可能なディスクを交換可能に収納することができそのうちの任意のディスクに対してオーディオデータの読み出し或いは書き込みができるディスクチェンジャーを備えたカーオーディオ装置であって、
上記大容量メモリ内に記憶されたオーディオデータのうちの任意のものをディスクにコピーをするものとして指定することができるようにされ、
上記指定が為されたときに、その指定をされた上記オーディオデータを上記ディスクチェンジャー内に挿入された１乃至複数のディスクに記憶するようにしてなる
ことを特徴とするカーオーディオ装置。
【請求項３】
オーディオデータをディジタルの形態で記憶する大容量メモリを内蔵し、複数枚の読み出し書き込み可能なディスクを交換可能に収納することができそのうちの任意のディスクに対してオーディオデータの読み出し及び書き込みができるディスクチェンジャーを備えたカーオーディオ装置であって、
ディスクチェンジャーに挿入された複数のディスクの一部をコピー元ディスクと、残りの又は残りの一部のディスクをコピー先ディスクとしてコピーを指定することができ、
上記指定が為された場合には、上記コピー元ディスクに記録されたオーディオデータを上記大容量メモリに記憶し、その記憶が終了すると、その大容量メモリに記憶されたオーディオデータを上記コピー先ディスクにコピーするようにしてなる
ことを特徴とするカーオーディオ装置。
【請求項４】
上記コピー先ディスクには、上記コピー元ディスクに記録されたオーディオデータを圧縮したものがコピーされるようにしてなる
ことを特徴とする請求項３記載のカーオーディオ装置。
【請求項５】
オーディオデータをディジタルの形態で記憶する大容量メモリと、該大容量メモリに記憶されたオーディオデータを読み出して一時的に記憶して音声再生部に音声再生データとして供給する再生メモリを内蔵し、複数枚の読み出し書き込み可能なディスクを交換可能に収納することができそのうちの任意のディスクに対してオーディオデータの読み出し或いは書き込みができるディスクチェンジャーを備えたカーオーディオ装置であって、
ディスクチェンジャーに挿入された複数のディスクの一つを再生ディスクとして、残りの一つをコピーディスクとして指定することができ、
上記指定が為された場合には、上記再生ディスクから高速（倍速）読み出しされ上記大容量メモリを経て上記再生メモリに圧縮されたオーディオデータの量が所定量に達しているか否かを判定し、
上記判定結果がＮｏの場合には、上記再生メモリに、それに記憶されたオーディオデータをその量が上記所定量に達するまで上記大容量メモリから或いは上記再生ディスクから大容量メモリ経由で書き込む動作をし、
上記判定結果がＹｅｓの場合には、上記コピーディスクからのオーディオデータを高速（倍速）読み出して上記大容量メモリに圧縮してコピーする動作をするようにし、
以て、上記再生メモリへの書き込みと、上記コピーディスクから上記大容量メモリへの書き込みとを、交互に時分割で、上記再生メモリに書き込まれたオーディオデータを音声再生しながら行うようにしてなる
ことを特徴とするカーオーディオ装置。
【発明の詳細な説明】
【０００１】
【発明の属する技術分野】
本発明は、オーディオデータをディジタルの形態で記憶する大容量メモリを内蔵し、更に、複数枚のディスクを交換可能に収納することができそのうちの任意のディスクに記憶されたオーディオデータを拡張情報と共に読み出し、更には、オーディオデータを拡張情報と共に任意のディスクに書き込むことができるディスクチェンジャーを備えた新規なカーオーディオ装置に関する。
【０００２】
【従来の技術】
カーオーディオ装置の技術の進歩は激しく、また、カーオーディオ装置の多機能化に対する要求が強く、ＣＤ（Ｃｏｍｐａｃｔ　Ｄｉｓｃ）　プレーヤを備え、そのＣＤに記憶されている任意の曲等をそのプレーヤにより再生してカーオーディオ装置内蔵のＨＤＤ（Ｈａｒｄ　Ｄｉｓｃ　Ｄｒｉｖｅｒ）によりＨＤ（Ｈａｒｄ　Ｄｉｓｃ）内に記憶しておき、例えば運転中にそのＨＤＤによりそのＨＤに記憶しておいた曲を再生して楽しむことができるカーオーディオ装置が普及しつつある。そして、ＨＤＤの記憶容量も増える一方で、例えばＣＤ１００枚分のオーディオデータ（拡張情報も含む）を収納することができるものもあり、この容量は増える一方であり、将来はＣＤ２００枚分、或いは４００枚分、更には５００枚分を記憶できる容量を持ったＨＤＤも現れることが予測される。
【０００３】
このようなカーオーディオ装置によれば、ドライブ等に出かける毎に聴きたい音楽等の入ったＣＤを何枚も持参する必要はなく、また、異なるＣＤの音楽を楽しむ毎にＣＤプレーヤにＣＤをセットし直すという面倒なことも必要はない。その点、非常に便利であり、愛好者が増加の一途を辿っている。
【０００４】
【発明が解決しようとする課題】
しかしながら、従来におけるＨＤＤ内蔵カーオーディオ装置は、一般に、ＣＤプレーヤには一枚のＣＤをセットし、その１枚のＣＤに記憶された曲を再生する或いは再生と共にＨＤＤ内のＨＤへの記憶をすることしかできなかった。
そのため、ＨＤＤにたくさんのＣＤのオーディオデータを記憶するには、大変長い時間がかかるという問題があった。
【０００５】
例えば、７６分の音楽等オーディオデータを収納するＣＤを高速再生により１６分間でＨＤＤのＨＤへの記憶を行ったとしても１０枚分のＣＤの記憶には単純計算で１６０分（３時間弱）の時間がかかる。１００枚分だと単純計算で１６００分（２７時間弱）の時間がかかることになる。そして、実際上、ＣＤの交換に必要な時間も無視できないので、もっと時間がかかり、しかも交換は枚数が増える程煩わしくなる面倒な作業である。
【０００６】
そこで、本願発明者は、その煩わしさの軽減のために、ＣＤ等、音楽等のオーディオデータを記憶したディスクを再生、或いは再生と記憶ができるディスク再生／記録装置として、複数枚（例えば３〜数十枚）のディスクを収納することができ、そして、その収納された複数枚のディスクのうちの任意のものからオーディオデータを拡張情報と共に読み出し、更には、オーディオデータを拡張情報と共に任意のディスクに書き込むことができるなディスクチェンジャーを設けることとすることを思い着いた。そして、多数のディスクから読み出した音楽情報が重複する場合、重複して記憶するのは、ＨＤなどの大容量メモリを無駄に利用することになるので、その無駄をなくすことを案出し、更に、そのディスクチェンジャーと大容量メモリの機能の有効利用方法を案出すべく考察を進め、本発明を為すに至った。
【０００７】
即ち、本発明の第１の目的は、多数枚のディスクの内容を大容量メモリに記憶した場合に生じ得る、同じ内容のオーディオデータの重複記憶をなくすようにすることにあり、第２の目的は、ディスクチェンジャーを書き込み機能をも有するものとし、それに収納するディスクとして書き込み可能なものとすることにより、多数枚のディスクの内容を、大容量メモリを介して別の多数枚のディスクにコピーし直すことができるようにし、第３の目的は、大容量メモリを編集に利用して複数のディスクに記憶された曲等から任意に選んだ曲等を組み合わせた別のディスクを得ることができるようにすることにあり、第４の目的は、音楽データの圧縮技術との組み合わせにより、一つのディスクの再生（鑑賞）中に、別のディスクのデータのコピーないし移動ができるようにすることにある。
【０００８】
【課題を解決するための手段】
請求項１のカーオーディオ装置は、ディスクチェンジャー内に一乃至複数のディスクが挿入され、挿入された各ディスクについてディスク単位で或いはオーディオデータ単位で大容量メモリ（例えばＨＤＤ内のＨＤ）へのコピーが指示されたときには、コピーを指示されたオーディオデータ毎に、その拡張情報と、上記大容量メモリに記憶済みの各オーディオデータの拡張情報とを照合して、同一性の有無を判定し、その判定結果が同一性有りというものであれば、そのオーディオデータについて、大容量メモリへのコピーを中止するか、或いは同一性有る旨の表示をしてコピーをするか否かの指示を求めるようにしてなることを特徴とする。
【０００９】
従って、請求項１のカーオーディオ装置によれば、ディスクチェンジャー内の各ディスクに記録された各オーディオデータについては、大容量メモリ（例えばＨＤＤ内のＨＤ）にコピーするに先立って、既に大容量メモリ内に記憶されたオーディオデータか否かの照合（同一性の確認）をするので、同じ内容のオーディオデータを大容量メモリに重複してコピーすることを回避することが可能となる。
依って、大容量メモリ内の記憶領域（記憶容量）を無駄なく、有効に活用することが可能となる。
【００１０】
請求項２のカーオーディオ装置は、大容量メモリ内に記憶されたオーディオデータのうちの任意のものをディスクにコピーをするものとして指定することができるようにされ、その指定が為されたときに、その指定をされた上記オーディオデータを上記ディスクチェンジャー内に挿入された１乃至複数のディスクに記憶するようにしてなることを特徴とする。
従って、請求項２のカーオーディオ装置によれば、大容量メモリ内に記憶されたオーディオデータのうちの任意のものを、コピー対象として指定することによってディスクチェンジャー内に挿入された１乃至複数のディスクにコピーすることができる。
【００１１】
請求項３のカーオーディオ装置は、ディスクチェンジャーに挿入された複数のディスクの一部をコピー元ディスクと、残りを又は残りの一部のディスクをコピー先ディスクとしてコピーを指示することができ、その指示が為された場合には、上記コピー元ディスクに記録されたオーディオデータを上記大容量メモリに記憶し、その記憶が終了すると、その大容量メモリに記憶されたオーディオデータを上記コピー先ディスクにコピーするようにしてなることを特徴とする。
【００１２】
従って、請求項３のカーオーディオ装置によれば、ディスクチェンジャー内のディスクの一部に記憶されたオーディオデータをディスクチェンジャー内の別のディスクにコピー（所謂ダビング）をすることができる。即ち、カーオーディオ装置をダビングに用いることが可能となる。
尚、コピー先となるディスクに、コピー元となるディスクに記録されたオーディオデータを圧縮したものがコピーされるようにした場合（請求項４のカーオーディオ装置の場合）には、多い枚数のディスクのオーディオデータを圧縮して少ない枚数のディスクにコピーすることができる。
【００１３】
請求項５のカーオーディオ装置は、ディスクチェンジャーに挿入された複数のディスクの一つを再生ディスクとして、残りの一つをコピーディスクとして指定することができ、その指定が為された場合には、上記再生ディスクから高速（倍速）読み出しされ上記大容量メモリを経て上記再生メモリに圧縮されたオーディオデータの量が所定量に達しているか否かに応じて、再生メモリに、それに記憶されたオーディオデータの量が上記所定量に達するまで上記大容量メモリから或いは上記再生ディスクから大容量メモリ経由で書き込む動作と、上記コピーディスクからのオーディオデータを高速（倍速）読み出して上記大容量メモリに圧縮してコピーする動作とを、時分割で交互に行い、その間、上記再生メモリに書き込まれたオーディオデータを音声再生するようにしてなることを特徴とする。
【００１４】
従って、請求項５のカーオーディオ装置によれば、ディスクチェンジャー内に挿入された一つのディスクのオーディオデータをカーオーディオ装置内の音声再生部により再生（鑑賞）しながらディスクチェンジャー内の他のディスクの大容量メモリ内へのオーディオデータのコピーをすることができ、音声再生とコピーを並行（実際には時分割処理だが人間の感覚的には並行処理）して行うことができる。従って、コピーのためだけに時間を割く必要がなくなる。
【００１５】
【発明の実施の形態】
本発明は、基本的には、オーディオデータをディジタルの形態でそのオーディオデータについての拡張情報と共に記憶する大容量メモリを内蔵し、複数枚のディスクを交換可能に収納することができそのうちの任意のディスクに記憶されたオーディオデータを読み出すことができるディスクチェンジャーを備えることが不可欠であるが、請求項２〜５のカーオーディオ装置については、ディスクチェンジャーは読み出し及び書き込みが可能なディスクを受け入れ、そして、そのディスクに対して読み出し及び書き込みが可能でなければならない。単なる読み出し専用ディスクの例としてはＣＤ（Ｃｏｍｐａｃｔ　Ｄｉｓｃ）が挙げられる。また、読み出し及び書き込みディスクの例としては、ＣＤ−Ｒ／Ｗ、ＤＶＤ（Ｄｉｇｉｔａｌ　ＶｅｒｓａｔｉｌｅＤｉｓｃ）−Ｒ／Ｗ、ＭＤ（Ｍｉｎｉ　Ｄｉｓｃ）等が挙げられる。しかし、必ずしもこれに限定されるものではない。
【００１６】
大容量メモリの例としてはＨＤＤ（ハードディスクドライバ）により駆動（書き込み／読み出し）されるＨＤが挙げられる。ディスクチェンジャーは例えば３枚〜十数枚或いは数十枚のディスクを受け入れ、少なくとも読み出し、好ましくは書き込みができる。尚、次の実施例の項で述べるカーオーディオ装置においては、カーオーディオ装置全体を制御する制御部とは別にディスクチェンジャー内を制御する制御部を有しているが、必ずしもそのようにすることは必要ではなく、ディスクチェンジャーをもカーオーディオ装置全体を制御する制御部で制御するようにしても良いことは言うまでもない。
【００１７】
尚、請求項５のカーオーディオ装置については、音声再生部によって再生されるべきオーディオデータを一時的に記憶する再生メモリが不可欠である。この再生メモリは、ディスクチェンジャー内のディスク（再生ディスク）から読み出され大容量メモリ（例えばＨＤＤ内ＨＤ）に書き込まれたオーディオデータを読み出して待機させて音声再生部に供給するものであり、再生メモリに書き込まれたオーディオデータは自動的に普通の再生速度で音声再生部に読み出され、音声再生されるようになっている。
本発明カーオーディオ装置は、請求項１乃至５の各請求項毎に実施の形態が異なるが、その詳細な具体例は次の実施例の項で説明される。
【００１８】
【実施例】
以下、本発明を図示実施例に従って詳細に説明する。
図１は本発明カーオーディオ装置の第１の実施例の概略構成を示す回路ブロック図である。
２は制御部で、ＣＰＵ（Ｃｅｎｔｒａｌ　Ｐｒｏｃｅｓｓｉｎｇ　Ｕｎｉｔ）、ＲＯＭ（Ｒｅａｄ　Ｏｎｌｙ　Ｍｅｍｏｒｙ）及びＲＡＭ（Ｒａｎｄｏｍ　Ａｃｃｅｓ　Ｍｅｍｏｒｙ）からなり、カーオーディオ装置全体を制御する。４はチューナで、テレビジョン放送、ＡＭ放送、ＦＭ放送等を受信する。６は映像インターフェイスで、チューナ４からの映像信号を処理する。８は音声インターフェイスで、チューナ４からの音声信号を処理する。
【００１９】
１０はＧＰＳ受信機、１２はＧＰＳ受信信号処理用インターフェイス、１４は画像信号合成回路、１６は該画像信号合成回路１４から出力された信号を受けてそれに対応した画像を表示するディスプレイで、例えば液晶表示素子からなる。１８は操作部で、各種スイッチ、ボタン等からなる。２０は操作用インターフェイス、２２はカーナビゲーション用地図情報が記録されたディスク［例えばＤＶＤ（Ｄｉｇｉｔａｌ　Ｖｅｒｓａｔｉｌｅ　Ｄｉｓｃ）］を受け入れ、受け入れたＤＶＤから地図情報を読み出す読み出し部、２４はその地図情報読み出し用インターフェイスである。
【００２０】
２６はディスクチェンジャで、例えばＣＤ（或いはＣＤＲ／Ｗ）を複数枚（例えば３〜数十枚）交換可能に受け入れることができ、そのうちの任意のディスクに記憶されたオーディオデータを拡張情報と共に読み出すことができ、更には、オーディオデータを拡張情報と共に任意のディスクに書き込むことができるようになっている。
【００２１】
尚、該ディスクチェンジャー２６内に外部からディスクを入れることを本明細書においてディスクの挿入と言うこととし、また、ディスクチェンジャー２６内部に既にディスク２８が何枚か挿入済みの状態において、その何枚かのディスク２８、２８、・・・から特定の一つのディスク２８を読み出し可能な或いは書き込み可能な位置に移動させることを本明細書においてディスクをセットすると言うこととする。
【００２２】
２７は該ディスクチェンジャ２６内の専用制御部で、例えばＣＰＵ等からなる。２８、２８、・・・は現在ディスクチェンジャ２６内に収納された読み出し及び書き込みが可能なディスク（例えばＣＤ−Ｒ／Ｗ）、３２はディスクチェンジャー用インターフェイスである。
３４はＨＤＤで、例えば１０Ｇ（ギガ）バイトというような記憶容量を持つＨＤ３６、３６、・・・に、例えばＣＤ１００枚分のオーディオデータを拡張情報と共に記憶することができる。
【００２３】
３８は再生メモリで、後述するスピーカにより音声再生すべきオーディオデータを記憶する。該再生メモリ３８にはオーディオデータが例えば圧縮された形で例えば高速（倍速、例８倍速）で書き込まれたり、或いは、非圧縮で普通速で書き込まれたりするが、書き込まれたオーディオデータは自動的に普通の速度で再生するように次に述べる音声処理回路（４０）に読み出されるようになっている。
【００２４】
４０は音声処理回路で、車体内の各スピーカに発生させる音声信号を処理するものであり、該回路４０内には、例えばディジタル信号をアナログ信号に変換するＤ／Ａコンバータ等も存在している。４２１、４２２、・・・４２ｎはアンプ、４４１、４４２、・・・４４ｎはスピーカである。
【００２５】
図２（Ａ）〜（Ｄ）は本実施例の各別の動作モードの概略を示すモード説明概略図である。図２（Ａ）はディスクチェンジャー２６内のディスク２８、２８、・・・の任意の一又は複数枚のディスク２８、２８、・・・に記憶された多数の曲［尚、必ずしも曲と言えないものも、一つのタイトル名が付与され、通常の再生時間、アーチスト名等が他と独立してＴＯＣ（Ｔｏｔａｌ　ｏｆ　Ｃｏｎｔｅｎｔｓ）情報として与えられているものは便宜上曲と述べる。従って、複数楽章からなる交響曲、各種ソナタ、協奏曲等は、音楽的には、その交響曲、ソナタ、協奏曲が一つの曲と言えるが、普通それを構成する各楽章毎にＴＯＣ情報が独立して与えられているので、各楽章を一つの曲とみなすことになる。］のうちの任意のものをＨＤＤ３４内のＨＤ３６にコピーするモードを示す。図２（Ｂ）はＨＤＤ３４内のＨＤ３６に記憶された多数の曲を１又は複数枚のディスク２８にコピーするモードを示す。
【００２６】
また、図２（Ｃ）はディスクチェンジャー２６内の一又は複数のディスク（コピー元ディスク）２８の曲のオーディオデータを圧縮してＨＤ３６に記憶し、その圧縮した曲のオーディオデータをディスクチェンジャー２６内の上記ディスク（コピー元ディスク）２８ａとは別のディスク（コピー先ディスク）２８ｂにコピーするモードであり、ディスクに記憶された曲のオーディオデータを圧縮して別のディスクに記憶し直すことができる。図２（Ｄ）はディスクチェンジャー２６内のディスク２８ｃの曲を高速（例えば８倍速）読み出しをしＨＤＤ３４内のＨＤ３６に圧縮して書き込み、そして、別のディスク２８ｐの曲を普通に再生（ＨＤＤ３４内のＨＤ３６から読み出して音声としてスピーカ４２１〜４２ｎから再生）するモードを示す。
【００２７】
図３（Ａ）は図２（Ａ）に示すモードでの動作を示すフローチャートである。本フローは、ディスクチェンジャー２６内に収納された複数枚のディスク、例えばＣＤ２８、２８、・・・に記録された音楽等のオーディオデータを再生（例えば高速再生）し、ＨＤＤ３４内のＨＤ３６に記憶するモードにおける動作である。
【００２８】
（１）「ディスクチェック」
本モードでの動作がスタートすると、ディスクチェンジャ専用制御部２７が収納ディスク２８、２８、・・・の枚数及び各ディスク２８、２８、・・・のディスク情報［曲数、各曲の時間、曲名（タイトル）、アーチスト名、アルバム名等）を検出し、それらをカーオーディオ装置内の制御部２へ送信する。
（２）「コピー指示入力？」
次に、コピー指示をする操作が成されたか否かを判定する。即ち、ユーザーは予め設定された操作部１８のキー、ボタン等の操作により、コピーするディスクの番号［例えば１枚目、２枚目というような番号。尚、全ディスク（ディスクチェンジャー内収納ディスク全て）という指定もできる］、コピーすることとした各ディスクのコピーしようとする曲、コピーする曲順）等を指定し、そしてコピーを指示する操作をすることができるようになっている。本ステップはそのコピーするディスク、曲に関する指定が有効に為され、且つコピーの指示が有効に為されたか否かを判定するものである。この判定の結果がＮｏならば、Ｙｅｓという判定結果が得られるまで、この判定ステップが繰り返される。
【００２９】
（３）「ｎ＝１」
上記ステップ（２）が終了すると、コピーをするディスクの番号を記憶するディスク番号レジスタ（必ずしも実際にレジスタが制御部に存在することは必要ではなく、ソフトウエアの働きにより仮想的に存在すればよい。本明細書において後で出てくる他のレジスタも同様である。）の記憶値ｎを１に設定する。
即ち、ディスクチェンジャー２６内には複数のディスク２８、２８、・・・が存在する。そして、一つのディスク内におけるコピーすべき曲の全部についてコピーが終われば、次のディスクのコピーに移り、そのディスク内のコピーすべき曲を順次コピーする、というようにディスクチェンジャー２６内のコピーすべきディスク２８、２８、・・・を一枚ずつ所定の順序でコピーするのである。そして、このディスク番号記憶レジスタは現在コピーをするディスクの番号を記憶するレジスタであり、そのレジスタの記憶値ｎは、コピー指示入力があったことが確認された段階では初期値である１に設定される。
【００３０】
（４）「ｎ番目のディスクセット」
次に、ディスクチェンジャー２６内において、上記ディスク番号記憶レジスタの記憶値ｎと同じ番号（ディスクチェンジャー内におけるディスク番号）のディスク２８を再生し、記憶できるようにセットする。
（５）「ｍ＝１」
上記ステップ（４）が終了すると、セットされたディスク２８内におけるコピーする曲の番号を記憶する曲番号レジスタの記憶値ｍを初期値である１に設定する。
即ち、セットされたディスク２８には通常複数の曲が記録されており、所定の順序でコピーしなければならないが、その現在コピーする曲の番号を記憶するのが曲番号記憶レジスタなのである。
【００３１】
（６）「ｍ番目の曲記憶済み？」
次に、上記曲番号記憶レジスタの記憶値ｍと同じ番号の曲はＨＤＤ３４のＨＤ３６に既に記憶されているのか否かを判定する。即ち、既にＨＤＤ３４のＨＤ３６に記憶されている曲のコピーは、ＨＤ３６の領域を無駄に使用することになるので、無駄を回避するべく、曲が既にＨＤ３６に記憶されているか否かの判定をするのである。この判定にあたっての曲の同一性は、例えば曲名、アーチスト名、演奏時間を判断要素とする。例えば、曲名、アーチスト名、演奏時間が全て同じの場合、同じ曲とする。また、曲名、アーチスト名が同じならば、演奏時間が異なっていても同じ曲とするようにすることもできる。この曲の同一性についてはユーザーが任意に決定できるようにしても良い。
【００３２】
（７）「記憶済み故バス記憶」
上記ステップ（６）の判定結果がＹｅｓの場合、即ち、曲番号記憶レジスタの記憶値ｍ番目の曲が既にＨＤ３６に記憶済みだという判定結果が生じた場合、そのコピーはパス（コピーしない）こととするが、そのことを記憶する。
（８）「表示」
次に、ＨＤ３６に記憶済みである故にコピーをパスすることとした曲について、ディスク番号と共にその曲をディスプレイ１６により表示する。
（９）「ｍ番目の曲コピー」
上記ステップ（６）の判定結果がＮｏの場合、そのｍ番目の曲を再生し、ＨＤＤ３４によりＨＤ３６にコピーする。
【００３３】
（１０）「ｍ＝ｍ＋１」
上記ステップ９が終了したとき、上記曲番号記憶レジスタの記憶値ｍをインクリメント（＋１）する。
（１１）「ｍ≧Ｍ？」
次に、曲番号記憶レジスタの記憶値ｍが当該ディスク２８のコピーすべき曲のうちの最後の番号Ｍ以上か否かを判定する。
そして、判定結果がＮｏの場合、即ち、まだ最後の曲ではない場合には、ステップ（６）に戻る。従って、曲番号記憶レジスタの記憶値ｍが当該ディスク２８のコピーすべき曲のうちの最後の番号Ｍに達するまで、ステップ６、９、１０、１１或いはステップ６、７、８、１０、１１の動作が繰り返される。これは、当該ディスク２８のコピーすべき曲が順次コピー（或いはパス）されることに他ならない。
【００３４】
（１２）「ｎ＝ｎ＋１」
上記ステップ１１の判定結果がＹｅｓの場合、即ち、ディスク番号記憶レジスタの記憶値ｎ番目のディスク２８のコピーが終了した場合、その記憶値ｎをインクリメント（＋１）する。
（１３）「ｎ≧Ｎ」
次に、ディスク番号記憶レジスタの記憶値ｎがディスクチェンジャー２６内のディスク２８、２８、・・・のうちの最後にコピーすべきディスクのその最後の番号Ｎ以上か否かを判定する。
そして、判定結果がＮｏの場合、即ち、まだコピーをする最後のディスクではない場合、ステップ（４）に戻る。従って、コピーすべき最後のディスク２８の最後の曲のコピーが終わるまで、ステップ３、４、６、９、１０、１１、１２、１３或いはステップ３、４、５、６、７、８、１０、１１、１２、１３の動作が繰り返される。
【００３５】
そして、ステップ（１３）の判定結果がＹｅｓになったとき、ディスクチェンジャー２６内のコピーすべきディスク２８、２８、・・・の全てについてコピーすべきとして指定した全ての曲について既に記憶済みのものを除き全て自動的にコピーされたことになる。
従って、本カーオーディオ装置によれば、１枚のディスクについて曲の全部のコピーが終了する毎にディスク交換をすることは必要ではなくなり、ディスクチェンジャー２６内の複数のディスクチェンジャー２８、２８、・・・について曲のコピーがその間ディスク交換を要することなく自動的に行われる。
また、曲名、アーチスト名が同じ、或いは曲名、アーチスト名及び演奏時間が同じ曲が既にＨＤＤ３４内のＨＤ３６内に記憶されている場合には、その曲のコピーは行わないので、同じ曲が重複してＨＤ３６内に記憶されて、ＨＤ３６内の記憶領域を無駄に使用する愚を避けることができる。
【００３６】
尚、全部のコピーが終了した後において、曲名、アーチスト名が同じ、或いは曲名、アーチスト名及び演奏時間が同じ曲が既にＨＤＤ３４内のＨＤ３６内に記憶されていてもやはりそのコピーをしたい場合には、再度自動コピーモードにし、その記憶済み故パス記憶されたものの表示［ステップ（８）参照］を視て、その表示にリストアップされているディスク及び曲について再度コピー指示入力をすればよい。
【００３７】
また、図３（Ｂ）に示す変形例のように、曲名、アーチスト名が同じ、或いは曲名、アーチスト名及び演奏時間が同じ曲が既にＨＤＤ３４内のＨＤ３６内に記憶されているというケースになる毎に、その曲についてコピーをするか、コピーをパスするかの決定をユーザーに委ねるようにしても良い。
即ち、図３のステップ７が終わると、ステップ８の表示が行われるが、その表示に、コピーをするか否かの意思表示をする所定の操作を促す趣旨の表示を付加し、所定時間（例えば５秒間）内にＹｅｓ（コピーをする＝パスしない）という意思表示があれば、図３（Ａ）のステップ（９）に進み、上記所定時間内にその意思表示をする操作がない場合には、図３（Ａ）のステップ（１０）に進むようにするのである。
【００３８】
図４は図２（Ｂ）に示すモードでの動作を示すフローチャートである。
本モードは、ＨＤ３４の大容量性を活かし、ＨＤ３４に記憶済みのオーディオデータを、何枚かのディスク２８、２８、・・・に記憶するできるようにするものである。
尚、本モード下で使用されるディスク２８は、当然のことながら書き換え可能なものであることが不可欠である。
【００３９】
（２１）「コピー指示入力あり」
本モードの動作が開始すると、ＨＤＤ３４側からディスクチェンジャー２６側へのコピーをする旨の指示をする入力があったか否かを判定する。
即ち、ユーザーは予め設定された操作部１８のキー、ボタン等の操作により、ＨＤ３６に記憶された曲のうちからコピーをする曲を任意に選び、選びを確定してコピーすべきことを指示することができるようになっている。本ステップはそのコピーする曲に関する指定が有効に為され、且つコピーの指示が有効に為されたか否かを判定するものである。この判定の結果がＮｏならば、Ｙｅｓという判定結果が得られるまで、この判定ステップが繰り返される。
【００４０】
（２２）「データ量算出」
上記ステップ（２１）が終わると、コピー指示された曲の全てを記憶するに必要なデータ量、更には、そのデータ量を記憶するのに必要なディスク２８の枚数Ｎが算出される。
（２３）「挿入枚数Ｎ指示」
次に、算出されたところのコピー指示された曲の全てを記憶するに必要なディスク２８の枚数Ｎを表示し、以て、Ｎ枚のディスク２８、２８、・・・のディスクチェンジャー２６への挿入を指示（促す）する。
【００４１】
（２４）「挿入完了」
次に、Ｎ枚のディスク２８、２８、・・・の挿入が完了したか否かを判定する。その判定結果がＮｏの場合、ステップ２３に戻る。尚、Ｎ枚より少ない或る枚数挿入された状態の場合における、ステップ２３の指示枚数は不足枚数になるようにすると良い。
（２５）「ｎ＝１」
次に、コピーをするディスクの番号を記憶するディスク番号レジスタの記憶値ｎを１に設定する。即ち、ディスクチェンジャー２６内にはＮ数（或いはそれ以上の枚数）のディスク２８、２８、・・・が存在する。そして、ＨＤ３６内におけるコピーすべきとして指定した各曲のディスク１枚分についてコピーが終われば、ディスクチェンジャー２６内における次の番号のディスク２８へのコピーに移り、それへのコピーが終われば、更に次の番号のディスク２８へコピーする、というようにＨＤ３６内のコピーすべき曲を１番目のディスク２８、２番目のディスク２８、・・・Ｎ番目のディスクの順で一枚ずつコピーするのである。そして、このディスク番号記憶レジスタは現在のコピー先ディスクの番号を記憶するレジスタであり、そのレジスタの記憶値ｎは、コピー指示入力があったことが確認された段階では初期値である１に設定されている。
【００４２】
（２６）「ｎ番目のディスクセット」
次に、ディスクチェンジャー２６内において、上記ディスク番号記憶レジスタの記憶値ｎと同じ番号（ディスクチェンジャー内におけるディスク番号）のディスク２８を、それにコピー（書き込み）ができるようにセットする。
（２７）「コピー」
セットされているディスク（ディスク番号記憶レジスタの記憶値ｎと同じ番号のディスク）２８に対するＨＤＤ３４内のＨＤ３６内の曲のコピーを行う。
（２８）「ｎ＝ｎ＋１」
上記ディスク２８へのコピーが終了した場合、即ち、ディスク番号記憶レジスタの記憶値ｎ番目のディスク２８のコピーが終了した場合、その記憶値ｎをインクリメント（＋１）する。
【００４３】
（２９）「ｎ≧Ｎ？」
次に、ディスク番号記憶レジスタの記憶値ｎがディスクチェンジャー２６内のディスク２８、２８、・・・のうちの最後にコピーすべきディスクの最後の番号Ｎ以上か否かを判定する。
そして、判定結果がＮｏの場合、即ち、まだコピーをする最後のディスクではない場合、ステップ（２６）に戻る。従って、コピーすべき最後のディスク（Ｎ番目のディスク）２８への曲のコピーが終わるまで、ステップ２６、２７、２８、２９の動作が繰り返される。
そして、本ステップ２９の判定結果がＹｅｓの場合、即ち、ｎ≧Ｎの場合、本フローが終了する。
【００４４】
本モードによれば、一旦、ＨＤＤ３４によりＨＤ３６内に記憶された曲をディスクチェンジャー２６内の１枚乃至複数枚のディスク２８にコピーすることができる。
従って、例えば多数枚のディスク２８、２８、・・・等から多くの曲を一旦ＨＤ３４に記憶しておき、その後、本モードにより、その記憶した曲のうちの任意に選んだものだけを１〜４枚程度といった少数のディスク２８に記憶し、それを例えば他の再生装置で再生するようにするのに最適であり、謂わば、編集の役割を担わせることができるのである。
【００４５】
図５は図２（Ｃ）に示すモードでの動作を示すフローチャートである。本モードは、前述のように、ディスクチェンジャー２６内の例えば１枚或いは複数枚のディスク（コピー元ディスク）２８ａに記録された曲を、圧縮したうえでＨＤＤ３４内のＨＤ３６に記憶し、その後、ディスクチェンジャー２６内の別のディスク（コピー先ディスク）２８ｂにコピーすることを自動的に行うものである。
【００４６】
（３１）「コピー指示入力指示？」
本モードでの動作がスタートすると、コピー指示入力があったか否かを判定する。即ち、本モードでは、コピー元ディスクの番号ｎ１（尚、後述するコピー先ディスクの番号をｎ２とする。）を指定する。例えば２枚のディスク２８、２８をコピー元とするコピーをしたい場合には、コピー先ディスク２８ａ、２８ａの番号ｎ１として１番及び２番を入力し、それを確定してコピー指示を行うようになっている。本ステップ３１はそのコピー元ディスク２８ａの番号ｎ１についての入力とそれを確定するコピー指示が有効に行われたか否かを判定するステップである。
この判定の結果がＮｏならば、Ｙｅｓという判定結果が得られるまで、この判定ステップが繰り返される。
【００４７】
（３２）「コピー元ディスクの挿入指示」
次に、コピー元ディスク２８ａの挿入を指示する表示をする。即ち、本モード下では、上記コピー指示入力はコピー元ディスク２８ａの挿入を終えてから行うっても良いし、挿入前に行っても良いようになっている。そして、挿入前にコピー指示入力が為される場合には、コピー元ディスクが挿入されないと次の動作に進めないので、ユーザーに対してコピー元ディスクの挿入を指示するのである。
【００４８】
（３３）「コピー元ディスク挿入？」
次に、コピー指示したコピー元ディスク２８ａが指示枚数挿入が済んだか否かを判定する。その判定結果がＮｏの場合、ステップ（３２）に戻る。
（３４）「コピー先の挿入枚数Ｎ２指示」
次に、コピー元ディスク２８ａ全部の情報量の圧縮後の情報量を算出し、更に、その情報量を記憶するに必要なコピー先ディスク２８ｂの枚数Ｎ２（尚、圧縮してコピーするので、必然的にその枚数Ｎ２はコピー元ディスク２８ａの枚数Ｎ１よりも小さい。例えば、４分の１に圧縮する場合には、Ｎ１が４枚、Ｎ２が１枚というようにである。
【００４９】
（３５）「コピー先ディスク挿入？」
次に、上記Ｎ２枚のコピー先ディスク２８ｂの挿入が成されたか否かを判定する。その判定結果がＮｏの場合、ステップ３４に戻る。
（３６）「ｎ１＝１」
次に、コピー元ディスク記憶レジスタの記憶値ｎ１を初期値１に設定する。
【００５０】
（３７）「ｎ１番目のディスクセット」
次に、　ディスクチェンジャー２６内において、コピー元ディスク記憶レジスタ記憶値ｎ１番目のコピー先ディスク２８を読み出し可能なるようにセットする。
（３８）「ＨＤへ圧縮コピー」
上記セットされたコピー元ディスク２８ａに記憶されたオーディオデータを、圧縮してＨＤＤ３４内のＨＤ３６に記憶（コピー）する。
【００５１】
（３９）「ｎ１＝ｎ１＋１」
上記ｎ１番目のコピー元ディスク２８ａのオーディオデータのＨＤＤ３４のＨＤ３６への記憶を終えると、コピー元ディスク記憶レジスタの記憶値ｎ１をインクリメント（＋１）する。
（４０）「ｎ１≧Ｎ１？」
次に、そのコピー元ディスク記憶レジスタの記憶値ｎ１がＮ１（コピー先ディスク２８の枚数）以上になったか否かを判定する。その判定結果がＮｏの場合、ステップ３７に戻る。従って、コピー元ディスク２８ａの全数（Ｎ１枚）のオーディオデータのＨＤ３６への圧縮しての記憶が終了するまでは、ステップ３７〜４０の動作の繰り返しにより、コピー元ディスク２８ａ、２８ａ、・・・のオーディオデータの圧縮してのＨＤ３６への記憶が進められる。
【００５２】
（４１）「ｎ２＝１」
上記ステップ４０の判定結果がＹｅｓの場合、コピー先ディスク番号記憶レジスタの記憶値ｎ２を初期値である１に設定する。
（４２）「ｎ２番目のディスクセット」
上記ディスクチェンジャー２６内において、上記コピー先ディスク番号記憶レジスタの記憶値ｎ２番目のディスク２８ｂをそれに書き込み可能なるようにセットする。
【００５３】
（４３）「ＨＤからコピー」
上記圧縮してＨＤ３６に記憶されたオーディオデータを、１枚のディスク２８分上記セットされているディスク２８ｂにコピーする。
（４４）「ｎ２＝ｎ２＋１」
次に、コピー先ディスク番号記憶レジスタの記憶値ｎ２をインクリメント（＋１）する。
（４５）「ｎ２≧Ｎ２？」
次に、コピー先ディスク番号記憶レジスタの記憶値ｎ２がコピー先ディスク２８ｂの全数Ｎ２以上になったか否かを判定する。
【００５４】
その判定結果がＮｏの場合、ステップ４２に戻る。Ｎ２番目のコピー先ディスク２８ｂのオーディオデータの記憶が終了するまで、ステップ４２〜４５までの動作によりＨＤ３６内のオーディオデータを順次コピー先ディスク２８、２８、・・・に記憶する。
判定結果がＹｅｓの場合、本フローが終了する。
本モード下では、１枚或いは複数枚のディスク（コピー元ディスク）２８ａのオーディオデータを圧縮してそれ以下の枚数のディスク（コピー先ディスク）２８ｂに記憶することができる。
【００５５】
図６は図２（Ｄ）に示すモードでの動作を示すフローチャートである。本モードは、ディスクチェンジャー２６内の一枚のディスク２８ｐに記録されたオーディオデータを読み出してスピーカ４４１〜４４ｎにより音声に再生しつつ別のディスク２８ｃのオーディオデータをＨＤＤ３４のＨＤ３６にコピーすることを時分割的に並行処理するものである。
【００５６】
（５１）「再生・コピー指示入力有り？」
本モードがスタートすると、一つのディスク２８ｐについてオーディオデータを音声再生し、別のディスク２８ｃについてオーディオデータをＨＤＤ３４内のＨＤ３６にコピーする旨の指示をする入力が成されたか否かを判定する。判定結果がＮｏならば、Ｙｅｓという判定結果が得られるまでこの判定を繰り返し行う。
（５２）「再生ディスク及びコピーディスクの挿入指示」
上記ステップ（５１）の判定結果がＹｅｓになると、上記音声再生をする再生ディスク２８ｐと、ＨＤ３６にコピーをするディスク２８ｃの挿入を指示する表示をする。尚、音声により指示するようにしても良い。
【００５７】
（５３）「ディスク挿入？」
次に、再生ディスク２８ｐ及びコピーディスク２８ｃが挿入されたか否かを判定する。判定結果がＮｏの場合、ステップ５２に戻る。
（５４）「再生メモリ内データ量ｍは所定量Ｍ以上？」
上記ステップ５３の判定結果がＹｅｓの場合、再生メモリ３８内の再生ディスク２８ｐからの再生用オーディオデータ量ｍが所定量Ｍ以上か否かを判定する。
【００５８】
本実施例においては、ディスクチェンジャー２６内において再生ディスク２８ｐのオーディオデータを例えば８倍速というような高倍速で読み出してＨＤＤ３４に圧縮して記憶し、更に、再生メモリ３８に記憶される。そして、その再生メモリ３８に記憶されたオーディオデータは自動的に普通の速度で音声信号合成回路４０に読み出され、スピーカ４４１〜４４ｎにより音声再生されるようになっている。そして、例えば、普通の速度で例えば数十秒〜数分分（後述する時間Ｔと同程度の時間）のオーディオデータ量を所定量Ｍとし、現在の再生メモリ３８内のオーディオデータのデータ量ｍがその所定量Ｍ以上であるか否かを本ステップで判定するのである。このように判定するのは、データ量ｍが所定量Ｍ以下だと再生メモリ３８にオーディオデータを書き込む必要があり、所定量Ｍ以上だとコピーディスク２８ｃからＨＤＤ３４によるＨＤ３６へのコピーをする必要があり、その何れをすべきを決めるためである。
【００５９】
（５５）「ＨＤ内の再生データ量ｈは上記所定量Ｍ以上？」
上記ステップ５４の判定結果がＮｏの場合、即ち、再生メモリ３８内のオーディオデータ量ｍが所定量Ｍより少ない場合、ＨＤ３６内の再生データ量ｈは所定量Ｍ）以上か否かを判定する。再生メモリ３８内のオーディオデータ量ｍが所定量Ｍより少ない場合には、当然に、再生メモリ３８の記憶オーディオデータ量ｍを所定量Ｍ以上になるようにする必要があるが、それを再生ディスク２８ｐからＨＤＤ３４に読み出した上で行うべきか、再生ディスク２８ｐから読み出すことなく、ＨＤＤ３４から再生メモリ３８へ読み出すかを決める必要があり、本ステップはその何れかを決めるための判定ステップである。
【００６０】
（５６）「再生ディスクセット」
上記ステップ５５の判定結果がＮｏの場合、即ち、ｈ≦Ｈの場合、ディスクチェンジャー２６内において再生ディスク２８ｐを読み出し可能なるようにセットする。即ち、ＨＤＤ３４のＨＤ３６内における再生ディスク２８ｐからのオーディオデータの書き込み量が足りないから、再生ディスク２８ｐの読み出しをするべく、セットが必要となるのである。
（５７）「倍速読み出し」
次に、倍速、例えば８倍速読み出しを行う。
（５８）「音声圧縮」
倍速読み出しをしたオーディオデータを音声圧縮する。
（５９）「ＨＤへの書き込み」
音声圧縮したオーディオデータは一旦ＨＤＤ３４によりその内部のＨＤ３６に書き込む。
【００６１】
（６０）「再生メモリへ読み出し」
ＨＤ３６に書き込まれた音声圧縮さえたオーディオデータは再生メモリ３８に読み出される。尚、再生メモリ３８に読み出されたオーディオデータは自動的に解凍され、普通の速度で再生され、スピーカ４４１〜４４ｎで音声に変換される。従って、ユーザーはその再生ディスク２８ｐに記録されたオーディオソフトを楽しむことができる。
そして、ステップ５４に戻る。
（６１）「ＨＤ内再生データの再生メモリへの読み出し」
上記ステップ５５の判定結果がＹｅｓの場合、即ち、ｈ≧Ｍならば、ＨＤ３６内のオーディオデータ（倍速読み出しされ、圧縮されたオーディオデータ）を、ＨＤＤ３４から再生メモリ３８へ読み出す。その後、ステップ５４に戻る。
【００６２】
（６２）「コピーディスクセット」
上記ステップ５４の判定結果がＹｅｓの場合、即ち、再生メモリ３８内のオーディオデータ量ｍが所定量Ｍ以上の場合、ディスクチェンジャー２６内において、記録されたオーディオデータをＨＤＤ３４のＨＤ３６にコピーするコピーディスク２８ｃを、それからデータを読み出せるようにセットする。
（６３）「倍速読み出し」
次に、倍速、例えば８倍速読み出しを行う。
【００６３】
（６４）「音声圧縮」
倍速読み出しをしたオーディオデータを音声圧縮する。
（６５）「ＨＤへの書き込み」
音声圧縮したオーディオデータは一旦ＨＤＤ３４によりその内部のＨＤ３６に書き込む。
（６６）「ｔ＜Ｔ？」
読み出しを開始してからの時間ｔが所定時間Ｔ（上記所定量Ｍのオーディオデータを通常再生するに要する時間或いはそれ以下に設定されている。）より短いか否かを判定する。判定結果がＹｅｓの場合、ステップ６３に戻る。従って、時間Ｔの間コピーが継続されることになる。
【００６４】
（６７）「コピー終了？」
上記ステップ６６の判定結果がＮｏの場合、即ち、ｔ＞Ｔの場合、そのコピーディスク２８ｃのオーディオデータの全てについてＨＤ３６へのコピーが終了したか否かを判定する。
そして、その判定結果がＮｏの場合、即ち、まだコピーが終了していない場合には、ステップ５４に戻る。これは、再生ディスク２８ｐに記録されたオーディオデータを再生メモリ３８に読み出すフローに移ることに他ならない。
従って、本フローによれば、再生ディスク２８ｐのオーディオデータを再生するための動作と、コピーディスク２８ｃのオーディオデータをＨＤ３６にコピーする動作を、例えば時間約２Ｔを周期として交互に繰り返すことができる。そして、その間、再生ディスク２８ｐのオーディオデータを音声として再生することができる。
【００６５】
（６８）「通常再生」
上記ステップ（６７）の判定結果がＹｅｓの場合、換言すれば、コピーディスク２８ｃのオーディオデータのＨＤ３６内へのコピーが終了した場合には、コピー処理は必要ではないのみならず、再生ディスク２８ｐのオーディオデータを高速読み出ししたり、圧縮読み出ししたりする必要はなく、通常の読み出しによる音声再生を行う。
従って、コピーディスク２８ｃのオーディオデータのＨＤ３６内へのコピーが終了しても、引き続き、再生ディスク２８ｐのオーディオデータの音声再生が行われ、音楽ソフトを鑑賞できる。
そして、通常再生が終わると、本モードの動作が終了する。
【００６６】
【発明の効果】
請求項１のカーオーディオ装置によれば、ディスクチェンジャー内の各ディスクに記録された各オーディオデータについては、大容量メモリ（例えばＨＤＤ内のＨＤ）にコピーするに先立って、既に大容量メモリ内に記憶されたオーディオデータか否かの照合（同一性の確認）をするので、同じ内容のオーディオデータを大容量メモリに重複してコピーすることを回避することが可能となる。
依って、大容量メモリ内の記憶領域（記憶容量）を無駄なく、有効に活用することが可能となる。
【００６７】
請求項２のカーオーディオ装置によれば、大容量メモリ内に記憶されたオーディオデータのうちの任意のものを指定することによってディスクチェンジャー内に挿入された１乃至複数のディスクに記憶することができる。
請求項３のカーオーディオ装置によれば、ディスクチェンジャー内のディスクの一部に記憶されたオーディオデータをディスクチェンジャー内の別のディスクにコピー（所謂ダビング）をすることができる。
請求項４のカーオーディオ装置によれば、コピー先となるディスクには、コピー元となるディスクに記録されたオーディオデータを圧縮したものがコピーされるようにしたので、多い枚数のディスクのオーディオデータを圧縮して少ない枚数のディスクにコピーすることができる。
【００６８】
請求項５のカーオーディオ装置によれば、ディスクチェンジャー内に挿入された一つのディスクのオーディオデータをカーオーディオ装置内の音声再生部により再生しながらディスクチェンジャー内の他のディスクの大容量メモリ内へのオーディオデータのコピーをすることができ、音声再生とコピーを並行（実際には時分割的だが人間の感覚的には並行）して行うことができる。従って、コピーのためだけに時間を割く必要がなくなる。
【図面の簡単な説明】
【図１】本発明カーオーディオ装置の一つの実施例の概略回路構成を示す回路ブロック図である。
【図２】（Ａ）〜（Ｄ）は上記実施例の各別の動作モードの概略を示すモード説明概略図であり、（Ａ）はディスクチェンジャー内のディスクの任意の一又は複数枚に記憶された曲のうちの任意のものを大容量メモリ（ＨＤＤ内のＨＤ）にコピーするモードを、（Ｂ）は大容量メモリ内に記憶された曲を１又は複数枚のディスクにコピーするモードを、（Ｃ）はディスクチェンジャー内のディスク（コピー元ディスク）の曲のオーディオデータを圧縮して大容量メモリに記憶し、更にディスクチェンジャー内の別のディスク（コピー先ディスク）にコピーするモードを、（Ｄ）はディスクチェンジャー内のディスクの曲を高速（例えば８倍速）読み出しをし大容量メモリに圧縮して書き込み、そして、普通に音声再生するモードを示す。
【図３】（Ａ）は上記実施例における図２（Ａ）に示すモード下での動作を示すフローチャート、（Ｂ）は（Ａ）に示す動作の変形例の要部を示すフローチャートである。
【図４】上記実施例における図２（Ｂ）に示すモード下での動作を示すフローチャートである。
【図５】上記実施例における図２（Ｃ）に示すモード下での動作を示すフローチャートである。
【図６】上記実施例における図２（Ｄ）に示すモード下での動作を示すフローチャートである。
【符号の説明】
２・・・カーオーディオ装置全体を制御する制御部、１６・・・ディスプレイ、１８・・・操作部、２６・・・ディスクチェンジャー、２７・・・ディスクチェンジャー内制御部、２８・・・ディスク、３４、３６・・・大容量メモリ、３４・・・ＨＤＤ、３６・・・ＨＤ、３８・・・再生メモリ、４０、４２、４４・・・音声再生部、４０・・・音声信号合成回路、４４・・・スピーカ。
【図１】
2004070998.tif 000003
【図２】
2004070998.tif 000004
【図３】
2004070998.tif 000005
【図４】
2004070998.tif 000006
【図５】
2004070998.tif 000007
【図６】
2004070998.tif 000008